(57)【特許請求の範囲】
【請求項１】
内部の空気が排出される排気口を有する外装筐体と、
前記排気口に備えられ、第１方向に延出するカムピンを有し、前記第１方向を回転軸として回転可能な羽根板と、
前記羽根板を回転させることによって前記排気口を開閉させる開閉機構と、
を備え、
前記開閉機構は、
前記カムピンに係合され、前記第１方向に直交する第２方向に移動することで前記羽根板を回転させる移動部材と、
前記第２方向における一方の側に前記移動部材を付勢する第１付勢部と、
前記第１付勢部の付勢力に抗して前記移動部材を前記第２方向における他方の側に移動させる第１ソレノイドと、
前記第１ソレノイドによって移動された前記移動部材に係合し、前記移動部材の前記一方の側への移動を規制する規制部材と、
前記規制部材を前記移動部材側に付勢する第２付勢部と、
前記第２付勢部の付勢力に抗して前記規制部材を移動させ、前記規制部材と前記移動部材との係合を解除させる第２ソレノイドと、
を備えることを特徴とするプロジェクター。
【請求項２】
請求項１に記載のプロジェクターであって、
前記開閉機構は、前記規制部材と前記移動部材との係合が解除された状態において、前記排気口を閉塞させ、前記規制部材と前記移動部材とが係合された状態において、前記排気口を開放させることを特徴とするプロジェクター。
【請求項３】
請求項１または請求項２に記載のプロジェクターであって、
前記規制部材は、前記移動部材に係合される状態と、前記移動部材との係合が解除される状態とが回転移動によって切り換えられることを特徴とするプロジェクター。
【請求項４】
請求項１〜請求項３のいずれか一項に記載のプロジェクターであって、
前記規制部材が前記移動部材に係合されているか否かを検出する検出部を備えていることを特徴とするプロジェクター。
【発明の詳細な説明】
【技術分野】
【０００１】
本発明は、プロジェクターに関する。
【背景技術】
【０００２】
従来、光源から射出された光束を画像情報に応じて変調し、変調した光をスクリーン等に投写するプロジェクターが知られている。光源は、光束の射出に伴う発熱によって、プロジェクター内の温度を上昇させるため、プロジェクターは、外装筐体に排気口が設けられ、この排気口から内部の空気が排気されるように構成されている。また、プロジェクターの未使用時に、この排気口から塵埃等の侵入を抑制するために排気口を開閉する技術が提案されている（例えば、特許文献１参照）。
【０００３】
特許文献１に示される排気口の開閉装置は、複数枚の羽板を有するルーバーをリンク機構によってスライドノブに連繋し、スライドノブを手動によってスライドさせることによってルーバー板を回動させるように構成されている。
【先行技術文献】
【特許文献】
【０００４】
【特許文献１】特開２００３−３１５９１０号公報
【発明の概要】
【発明が解決しようとする課題】
【０００５】
しかしながら特許文献１に記載の技術は、投射装置（プロジェクター）をオン、オフする都度、スライド板を手動によりスライドさせるのが面倒であったり、スライドノブを操作するスペースが必要なため、プロジェクターを壁等に接近させて配置できなかったりするという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、内部の空気が排出される排気口を有する外装筐体と、前記排気口に備えられ、第１方向に延出するカムピンを有し、前記第１方向を回転軸として回転可能な羽根板と、前記羽根板を回転させることによって前記排気口を開閉させる開閉機構と、を備え、前記開閉機構は、前記カムピンに係合され、前記第１方向に直交する第２方向に移動することで前記羽根板を回転させる移動部材と、前記第２方向における一方の側に前記移動部材を付勢する第１付勢部と、前記第１付勢部の付勢力に抗して前記移動部材を前記第２方向における他方の側に移動させる第１ソレノイドと、前記第１ソレノイドによって移動された前記移動部材に係合し、前記移動部材の前記一方の側への移動を規制する規制部材と、前記規制部材を前記移動部材側に付勢する第２付勢部と、前記第２付勢部の付勢力に抗して前記規制部材を移動させ、前記規制部材と前記移動部材との係合を解除させる第２ソレノイドと、を備えることを特徴とする。
【０００８】
この構成によれば、開閉機構は、第１付勢部および第１ソレノイドによって、移動部材を第２方向において往復移動させることができる。すなわち、第１ソレノイドに電力を供給しない状態（オフ状態）で第１付勢部によって、移動部材を第２方向における一方の側に付勢し、第１ソレノイドに電力を供給した状態（オン状態）で、移動部材を第２方向における他方の側に移動させることができる。そして、カムピンがこの移動部材に係合されている羽根板は、移動部材の移動に伴って回転軸を中心に回転して排気口を開閉する。
【０００９】
さらに、移動部材は、第２付勢部および第２ソレノイドによって、規制部材に係合される係合状態と、係合されない非係合状態とが切り換えられる。すなわち、第２ソレノイドがオフ状態で第２付勢部によって付勢された規制部材は、第１ソレノイドによって移動された移動部材に係合する。そして、移動部材は、第１ソレノイドがオフ状態となった際にも、規制部材によって一方の側への移動が規制され、移動された位置が維持される。つまり、カムピンが移動部材に係合されている羽根板は、排気口を開放する開放状態、あるいは排気口を閉塞する閉塞状態が維持される。
一方、第２ソレノイドがオン状態になると、規制部材は、移動部材との係合が解除され、移動部材は、第１付勢部に付勢されて移動する。つまり、羽根板は、開放状態から閉塞状態、あるいは閉塞状態から開放状態に切り換えられる。
【００１０】
このように、開閉機構は、２つのソレノイドによる直線運動を利用して羽根板を回転させ、排気口を開閉させることができる。よって、簡単な構造で電動式による排気口の開閉を可能とし、プロジェクターを使用しない際の排気口からの塵埃の侵入を抑制することが可能となる。
【００１１】
また、２つのソレノイドには、開放状態と閉塞状態とが切り換えられる際に、電力が供給されるが、開放状態および閉塞状態が維持される状態では、電力の供給が不要なので、消費電力の抑制を図りつつ、電動式での排気口の開閉が可能となる。
さらに、第１ソレノイドおよび第２ソレノイドは、永久磁石を備える必要がないので、小型、軽量なタイプのソレノイドの採用が可能となり、開閉機構の小型化、軽量化、ひいてはプロジェクターの小型化、軽量化が図れる。
【００１２】
［適用例２］上記適用例に係るプロジェクターにおいて、前記開閉機構は、前記規制部材と前記移動部材との係合が解除された状態において、前記排気口を閉塞させ、前記規制部材と前記移動部材とが係合された状態において、前記排気口を開放させることが好ましい。
【００１３】
開閉機構は、プロジェクターへの振動や衝撃等により規制部材と移動部材との係合が外れる恐れがある。この構成によれば、開閉機構は、規制部材と移動部材との係合が解除された状態において、排気口を閉塞させるように構成されている。つまり、閉塞状態となるプロジェクターの未使用時に、規制部材と移動部材とは、係合が解除されている。これによって、振動や衝撃等が加わる機会が多くなるプロジェクターの輸送時等に、開閉機構は、規制部材と移動部材との係合が解除されているので、閉塞状態を安定して維持することが可能となる。
【００１４】
［適用例３］上記適用例に係るプロジェクターにおいて、前記規制部材は、前記移動部材に係合される状態と、前記移動部材との係合が解除される状態とが回転移動によって切り換えられることが好ましい。
【００１５】
この構成によれば、規制部材は、回転移動するように構成されているので、規制部材と移動部材とが噛み合うように係合させることが可能となる。よって、規制部材は、直線的に移動する構成に比べ、移動部材との係合が強固になり、移動部材から外れにくく構成される。したがって、規制部材と移動部材との係合状態をより確実なものとし、開閉機構の耐振動性や耐衝撃性の向上が図れる。
【００１６】
［適用例４］上記適用例に係るプロジェクターにおいて、前記規制部材が前記移動部材に係合されているか否かを検出する検出部を備えていることが好ましい。
【００１７】
この構成によれば、プロジェクターは、規制部材が移動部材に係合されているか否かを検出する検出部を備えている。これによって、移動部材や羽根板の位置を検出することで開放状態および閉塞状態を検知する構成に比べ、簡易的な構成で精度良く開放状態および閉塞状態を検知することが可能となる。すなわち、第１ソレノイドの可動部の移動量バラツキや、第１ソレノイドの取付けバラツキ等を加味することなく、また排気口や排気口の周囲の形状に制約を与えることなく検出部を配置し、開放状態および閉塞状態を検知することが可能となる。
【図面の簡単な説明】
【００１８】
【図１】本実施形態のプロジェクターの概略構成を示す模式図。
【図２】本実施形態のシャッター装置を模式的に示す平面図。
【図３】本実施形態のシャッター装置の斜視図。
【図４】本実施形態の羽根板の斜視図。
【図５】本実施形態の羽根板を上方から見た平面図。
【図６】本実施形態のシャッター装置を模式的に示す平面図。
【図７】変形例の規制部材の動作を説明するための模式図。
【発明を実施するための形態】
【００１９】
以下、本実施形態に係るプロジェクターについて、図面を参照して説明する。
本実施形態のプロジェクターは、光源から射出された光束を画像情報に応じて変調してスクリーン等に拡大投写する。
【００２０】
〔プロジェクターの主な構成〕
図１は、本実施形態のプロジェクターの概略構成を示す模式図である。
プロジェクター１は、図１に示すように、外装筐体２、制御部（図示省略）、光源３１１を有する光学ユニット３、電源装置４、排気ファン５、シャッター装置６、および外気を取り込むための吸気ファン（図示省略）等を備えている。
【００２１】
外装筐体２は、詳細な説明は省略するが、図１に示すように、光学ユニット３から投写される光が通過する投写用開口部２１、光源３１１の点灯等によって温まった外装筐体２内の空気が外部に排出される排気口２２、および外気を取り込むための吸気口（図示せず）等が設けられている。
【００２２】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００２３】
光学ユニット３は、制御部による制御の下、光源３１１から射出された光束を光学的に処理して投写する。
光学ユニット３は、図１に示すように、光源装置３１、インテグレーター照明光学系３２、色分離光学系３３、リレー光学系３４、電気光学装置３５、投写レンズ３６、およびこれらの部材３１〜３６を光路上の所定位置に配置する光学部品用筐体３７を備える。
【００２４】
光学ユニット３は、図１に示すように平面視略Ｌ字状に形成され、一方の端部に光源装置３１が着脱可能に配置され、他方の端部に投写レンズ３６が配置される。なお、以下では、説明の便宜上、光源装置３１から光束が射出される方向を＋Ｘ方向、投写レンズ３６から光束が射出される方向を＋Ｙ方向（前方向）、Ｘ方向およびＹ方向に直交し、プロジェクター１が机上等に据え置かれた姿勢における上方向を＋Ｚ方向（上方向）として記載する。また、Ｚ方向を第１方向、Ｙ方向を第２方向とする。
【００２５】
光源装置３１は、超高圧水銀ランプやメタルハライドランプ等からなる放電型の光源３１１、リフレクター３１２および光透過部材としての平行化レンズ３１３等を備えている。光源装置３１は、光源３１１から射出された光束をリフレクター３１２にて反射した後、平行化レンズ３１３よって射出方向を揃え、インテグレーター照明光学系３２に向けて射出する。
【００２６】
インテグレーター照明光学系３２は、第１レンズアレイ３２１、第２レンズアレイ３２２、偏光変換素子３２３、および重畳レンズ３２４を備える。
第１レンズアレイ３２１は、光源装置３１から射出された光束を複数の部分光束に分割する光学素子であり、光源装置３１から射出された光束の光軸Ｌに対して略直交する面内にマトリクス状に配列される複数の小レンズを備えている。
【００２７】
第２レンズアレイ３２２は、第１レンズアレイ３２１と略同様の構成を有しており、重畳レンズ３２４とともに、第１レンズアレイ３２１から射出された部分光束を後述する液晶ライトバルブ３５１の表面に重畳させる。
偏光変換素子３２３は、第２レンズアレイ３２２から射出されたランダム偏光光を液晶ライトバルブ３５１で利用可能な略１種類の偏光光に揃える機能を有する。
【００２８】
色分離光学系３３は、２枚のダイクロイックミラー３３１，３３２、および反射ミラー３３３を備え、インテグレーター照明光学系３２から射出された光束を赤色光（以下「Ｒ光」という）、緑色光（以下「Ｇ光」という）、青色光（以下「Ｂ光」という）の３色の色光に分離する機能を有する。
【００２９】
リレー光学系３４は、入射側レンズ３４１、リレーレンズ３４３、および反射ミラー３４２，３４４を備え、色分離光学系３３で分離されたＲ光をＲ光用の液晶ライトバルブ３５１Ｒまで導く機能を有する。なお、光学ユニット３は、リレー光学系３４がＲ光を導く構成としているが、これに限らず、例えば、Ｂ光を導く構成としてもよい。
【００３０】
電気光学装置３５は、光変調装置としての液晶ライトバルブ３５１および色合成光学装置としてクロスダイクロイックプリズム３５２を備え、色分離光学系３３で分離された各色光を画像情報に応じて変調し、変調した各色光を合成する。
【００３１】
液晶ライトバルブ３５１は、３色の色光毎に備えられており（Ｒ光用の液晶ライトバルブを３５１Ｒ、Ｇ光用の液晶ライトバルブを３５１Ｇ、Ｂ光用の液晶ライトバルブを３５１Ｂとする）、それぞれ透過型の液晶パネル、およびその両面に配置された入射側偏光板、射出側偏光板を有している。
【００３２】
液晶ライトバルブ３５１は、図示しない微小画素がマトリクス状に形成された矩形状の画素領域を有し、各画素が表示画像信号に応じた光透過率に設定され、画素領域内に表示画像を形成する。そして、色分離光学系３３で分離された各色光は、液晶ライトバルブ３５１にて変調された後、クロスダイクロイックプリズム３５２に射出される。
【００３３】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、誘電体多層膜が液晶ライトバルブ３５１Ｒ，３５１Ｂにて変調された色光を反射し、液晶ライトバルブ３５１Ｇにて変調された色光を透過して、各色光を合成する。
【００３４】
投写レンズ３６は、複数のレンズを組み合わせた組レンズとして構成され、液晶ライトバルブ３５１にて変調され、クロスダイクロイックプリズム３５２にて合成された光をスクリーン上に拡大投写する。
【００３５】
電源装置４は、詳細な説明は省略するが、電源ブロックおよび光源装置３１を駆動する光源駆動ブロック（いずれも図示省略）を備え、制御部および光源３１１等の電子部品に電力を供給する。
【００３６】
排気ファン５は、軸流ファンで構成され、外装筐体２内の空気を排気口２２から外部に排出する。
【００３７】
シャッター装置６は、図１に示すように、排気ファン５と排気口２２との間に配置され、排気口２２を開閉可能に構成されている。シャッター装置６は、制御部による制御の下、プロジェクター１の動作時に排気口２２を開放し、プロジェクター１の非動作時に排気口２２を閉塞するように構成されている。以下、排気口２２が開放された状態を開放状態、排気口２２が閉塞された状態を閉塞状態という。
【００３８】
〔シャッター装置の構成〕
ここで、シャッター装置６について、詳細に説明する。
図２は、シャッター装置６を模式的に示す平面図であり、開放状態におけるシャッター装置６を示す図である。図３は、開放状態におけるシャッター装置６の斜視図であり、後述する開閉機構８の規制部材８５、圧縮コイルバネ８６、第２ソレノイド８７、および検出スイッチ８８を省略した図である。
シャッター装置６は、図２、図３に示すように、Ｙ方向に沿って複数配置された羽根板７、および開閉機構８を備えている。開閉機構８は、羽根板７を回転させることによって排気口２２を開閉させる。
【００３９】
先ず、羽根板７について説明する。
図４は、羽根板７の斜視図である。図５は、羽根板７を上方から見た平面図である。具体的に、図５は、開放状態の羽根板７（図５において実線で示す）、および閉塞状態の羽根板７（図５において２点鎖線で示す）を示す図である。
羽根板７は、図４、図５に示すように、羽根板本体部７１、回転軸７２、およびカムピン７３を有している。
羽根板本体部７１は、上下方向が長手方向となる平面視矩形の板状に形成され、短手方向の先端部分は、クランク状に屈曲されている。
【００４０】
回転軸７２は、中心軸Ａを中心とする円柱形状を有している。回転軸７２は、図４に示すように、羽根板本体部７１の上端面、下端面からそれぞれ突出し、Ｚ方向（第１方向）に延出している。
【００４１】
羽根板本体部７１の上部には、図４、図５に示すように、＋Ｘ側の面から突出する突起部７４が設けられている。
カムピン７３は、この突起部７４から＋Ｚ方向に突出しており、中心軸Ａと同一方向に延出する中心軸Ｂを中心として円柱状に形成されている。
カムピン７３には、開閉機構８の後述する移動部材８２が係合される。羽根板７は、移動部材８２が移動されることによって、カムピン７３が移動し、中心軸Ａを中心に回転する。
【００４２】
次に、開閉機構８について説明する。
開閉機構８は、図２に示すように、フレーム８１、移動部材８２、第１付勢部としての引張コイルバネ８３、第１ソレノイド８４、規制部材８５、第２付勢部としての圧縮コイルバネ８６、第２ソレノイド８７、および検出部としての検出スイッチ８８を備えている。
【００４３】
フレーム８１は、図３に示すように、中央部に平面視矩形の開口部を有して枠状に形成され、この開口部に複数の羽根板７が回転可能に配置される。フレーム８１は、上部を形成する上枠部８１１、および下部を形成する下枠部８１２を有している。
【００４４】
上枠部８１１の上側には、Ｙ方向に延出し、移動部材８２の移動を案内する案内溝８１１１、および案内用突起８１１２が形成されている。さらに、案内用突起８１１２には、＋Ｙ側の端部および−Ｙ側の端部に移動部材８２の上方への抜けを防止する突起８１１３が形成されている。
【００４５】
上枠部８１１および下枠部８１２の内面には、それぞれ複数の羽根板７の回転軸７２が等間隔に挿入される軸受穴（図示省略）が形成されている。また、案内溝８１１１には、軸受穴の＋Ｘ方向に軸受穴の中心軸を中心として円弧状に形成された複数の貫通孔が設けられている。回転軸７２が軸受穴に挿入された羽根板７は、この貫通孔からカムピン７３が露出してフレーム８１に配置される。
【００４６】
移動部材８２は、Ｚ方向（第１方向）に直交するＹ方向（第２方向）に移動可能に構成されている。
移動部材８２は、図３に示すように、Ｙ方向が長手方向となる長尺状に形成され、案内溝８１１１、および案内用突起８１１２に遊嵌されている。移動部材８２には、長手方向に沿って等間隔（複数の羽根板７の配設間隔）に長孔８２Ａが形成されている。長孔８２Ａは、図５に示すように、短手方向が羽根板７のカムピン７３と係合するような大きさに設定され、長手方向が移動部材８２の移動方向に直交する方向（Ｘ方向）となるように形成されている。
【００４７】
また、移動部材８２には、図３に示すように、−Ｙ側の端部に引張コイルバネ８３のフックが掛止されるバネ掛止部８２１が形成され、＋Ｙ側の端部に＋Ｘ方向に突出する係止部８２２が設けられている。
【００４８】
移動部材８２は、長孔８２Ａに羽根板７のカムピン７３が挿入され、前述したように、フレーム８１の案内溝８１１１に配置される。そして、移動部材８２は、Ｙ方向に移動されることによって、長孔８２Ａに係合しているカムピン７３を移動させ、カムピン７３が移動された羽根板７は、中心軸Ａを中心に回転する。
【００４９】
引張コイルバネ８３は、図３に示すように、一方のフックが移動部材８２のバネ掛止部８２１に掛止され、他方のフックがフレーム８１に掛止されている。そして、引張コイルバネ８３は、Ｙ方向（第２方向）における一方の側（−Ｙ方向）に移動部材８２を付勢する。
【００５０】
第１ソレノイド８４は、コイル、固定鉄芯（いずれも図示省略）、および可動鉄芯８４１を備え、電流が供給されることで可動鉄芯８４１が直進運動を得るように構成されている。具体的に、電流が供給されると可動鉄芯８４１が固定鉄芯に引き寄せられ、電流が供給されないと固定鉄芯への吸引力は消滅する。そして、第１ソレノイド８４は、吸引力が引張コイルバネ８３の付勢力より大きいタイプが採用されている。
【００５１】
本実施形態の第１ソレノイド８４は、電流が供給された際に、可動鉄芯８４１の突出量が小さくなるプル型のソレノイドが採用されており、図３に示すように、可動鉄芯８４１が移動部材８２の＋Ｙ側の端部に接続されて配置される。そして、第１ソレノイド８４は、制御部による制御の下、電流が供給された際に、引張コイルバネ８３の付勢力に抗して移動部材８２を移動させる。具体的に、第１ソレノイド８４は、Ｙ方向（第２方向）における他方の側（＋Ｙ方向）に移動部材８２を移動させる。
【００５２】
図２に戻って、規制部材８５は、移動部材８２の＋Ｘ方向に配置される。そして、規制部材８５は、第１ソレノイド８４によって移動された移動部材８２に係合され、移動部材８２の−Ｙ方向への移動を規制するように構成されている。
【００５３】
規制部材８５は、先端部８５１、バネ受部８５２、およびスイッチ押圧部８５３を有している。
先端部８５１は、係止部８２２に係合される部位であり、係止部８２２の−Ｙ側の面に係合されるように形成されている。
バネ受部８５２は、圧縮コイルバネ８６によって押圧される部位であり、規制部材８５の＋Ｙ側に突出して形成されている。
スイッチ押圧部８５３は、規制部材８５の−Ｙ側に突出しており、検出スイッチ８８の後述するレバー８８１を押圧可能に形成されている。
【００５４】
圧縮コイルバネ８６は、規制部材８５のバネ受部８５２と、フレーム８１に固定された固定部材（図示省略）との間に配置され、規制部材８５を移動部材８２側に付勢する。
【００５５】
第２ソレノイド８７は、第１ソレノイド８４と同様に、コイル、固定鉄芯（いずれも図示省略）、および可動鉄芯８７１を備え、電流が供給された際に、可動鉄芯８７１の突出量が小さくなるプル型のソレノイドが採用されている。そして、第２ソレノイド８７は、吸引力が圧縮コイルバネ８６の付勢力より大きいタイプが採用されている。
【００５６】
第２ソレノイド８７は、図２に示すように、可動鉄芯８７１が規制部材８５の＋Ｘ側の端部に接続されて配置される。そして、第２ソレノイド８７は、制御部による制御の下、電流が供給された際に、圧縮コイルバネ８６の付勢力に抗して規制部材８５を＋Ｘ方向に移動させ、規制部材８５と移動部材８２との係合を解除させる。
【００５７】
検出スイッチ８８は、図示しないケーブルを介して制御部に接続され、規制部材８５が移動部材８２に係合されているか否かを検出する。
検出スイッチ８８は、図２に示すようにレバー８８１を有して構成され、規制部材８５のスイッチ押圧部８５３が移動する軌跡内にこのレバー８８１が位置するように配置される。
【００５８】
検出スイッチ８８は、規制部材８５の位置に応じてオンとオフとが切り換えられる。
具体的に、検出スイッチ８８は、規制部材８５が移動部材８２に係合された係合状態において、レバー８８１がスイッチ押圧部８５３によって押圧されてオンの状態となる。一方、検出スイッチ８８は、規制部材８５が移動部材８２に係合されていない非係合状態において、レバー８８１がスイッチ押圧部８５３からの押圧が解除されてオフの状態となる。制御部は、検出スイッチ８８の結果に基づいて、係合状態および非係合状態を検知する。
【００５９】
〔シャッター装置の動作〕
ここで、シャッター装置６の動作について、図６を加えて説明する。
図６は、シャッター装置６を模式的に示す平面図であり、閉塞状態を示す図である。
プロジェクター１は、非動作時にシャッター装置６を閉塞状態にする。
シャッター装置６は、図６に示すように、非係合状態において、各羽根板本体部７１がＹ方向に沿うように配置されて閉塞状態となる。具体的な図示は省略するが、移動部材８２は、閉塞状態において、引張コイルバネ８３によって−Ｙ方向に付勢され、案内溝８１１１（図３参照）の−Ｙ側の内面に当接し、この閉塞状態が維持される。
【００６０】
各羽根板７は、この閉塞状態において、図５に示すように、移動部材８２に係合されているカムピン７３が回転軸７２の−Ｙ方向に位置し、前述したように（図６に示すように）、各羽根板本体部７１がＹ方向に沿うように配置される（図５においては、２点鎖線で示す）。図示は省略するが、閉塞状態において、隣り合う各羽根板７は、クランク状に屈曲された先端が重なるように配置され、排気口２２を閉塞する。
【００６１】
この閉塞状態から電源がオンされてプロジェクター１が動作状態になると、制御部の制御によって第１ソレノイド８４に電流が供給され、第１ソレノイド８４は、引張コイルバネ８３の付勢力に抗して移動部材８２を＋Ｙ方向に移動させる。移動部材８２が＋Ｙ方向に移動されると、各羽根板７は、移動部材８２に係合されているカムピン７３が＋Ｙ方向に移動することによって、回転軸７２を中心に回転（図５の図面における時計回りに回転）する。
【００６２】
移動部材８２が＋Ｙ方向に所定の位置まで移動されると、図２に示すように、圧縮コイルバネ８６に付勢されている規制部材８５は、先端部８５１が係止部８２２に係合する。そして、隣り合う各羽根板７の間には、図３に示すように、開口部がそれぞれ形成され、シャッター装置６は、開放状態となる。
【００６３】
また、係合状態において、検出スイッチ８８は、オンの状態となり、制御部は、検出スイッチ８８の検出結果に基づいて、第１ソレノイド８４への電流の供給を停止させる。シャッター装置６は、第１ソレノイド８４への電流の供給が停止された際にも、移動部材８２が規制部材８５によって−Ｙ方向への移動が規制されているので、開放状態が維持される。この開放状態において、プロジェクター１の動作に伴って温まった外装筐体２内の空気は、排気ファン５によって、開放された排気口２２から排出される。
【００６４】
一方、プロジェクター１の動作が停止され、排気ファン５の駆動が停止されると、制御部の制御によって第２ソレノイド８７に電流が供給され、第２ソレノイド８７は、圧縮コイルバネ８６の付勢力に抗して規制部材８５を＋Ｘ方向に移動させる。規制部材８５が＋Ｘ方向に所定の位置まで移動されると、移動部材８２は、規制部材８５との係合が解除され、引張コイルバネ８３によって−Ｙ方向に移動する。
【００６５】
移動部材８２が−Ｙ方向に移動されると、移動部材８２に係合されているカムピン７３が−Ｙ方向に移動し、各羽根板７は、回転軸７２を中心に回転（図５における反時計回りに回転）し、シャッター装置６は、閉塞状態となる。
【００６６】
また、規制部材８５と移動部材８２との係合が解除された位置において、検出スイッチ８８は、オフの状態となり、制御部は、検出スイッチ８８の検知に基づいて、第２ソレノイド８７への電流の供給を停止させる。
【００６７】
このように、シャッター装置６は、第１ソレノイド８４および第２ソレノイド８７を有する開閉機構８によって、羽根板７を回転させて排気口２２を開閉する。そして、開閉機構８は、非係合状態において、排気口２２を閉塞させ、係合状態において、排気口２２を開放させる。また、開放状態および閉塞状態において、第１ソレノイド８４および第２ソレノイド８７には、電流が供給されずにそれぞれの状態が維持される。
【００６８】
以上説明したように、本実施形態のプロジェクター１によれば、以下の効果を得ることができる。
（１）開閉機構８は、第１ソレノイド８４、第２ソレノイド８７による直線運動を利用して羽根板７を回転させ、排気口２２を開閉させることができる。よって、簡単な構造で電動式による排気口２２の開閉を可能とし、プロジェクター１を使用しない際の排気口２２からの塵埃の侵入を抑制することが可能となる。
【００６９】
（２）第１ソレノイド８４および第２ソレノイド８７には、開放状態と閉塞状態とが切り換えられる際に、電力が供給されるが、開放状態および閉塞状態が維持される状態では、電力の供給が不要なので、消費電力の抑制を図りつつ、電動式での排気口２２の開閉が可能となる。また、２つのソレノイドは、開放状態および閉塞状態が維持される状態で電力が供給されずに発熱が抑制されるので、２つのソレノイドの周囲の部材の温度劣化が抑制される。
【００７０】
（３）第１ソレノイド８４および第２ソレノイド８７は、永久磁石を備える必要がないので、小型、軽量なタイプのソレノイドの採用が可能となり、開閉機構８の小型化、軽量化、ひいてはプロジェクター１の小型化、軽量化が図れる。
【００７１】
（４）開閉機構８は、プロジェクター１への振動や衝撃等により規制部材８５と移動部材８２との係合が外れる恐れがある。本実施形態によれば、プロジェクター１は、非動作時にシャッター装置６を閉塞状態にし、閉塞状態において、規制部材８５と移動部材８２との係合が解除されているように構成されている。これによって、開閉機構８は、振動や衝撃等が加わる機会が多くなるプロジェクター１の輸送時等に、規制部材８５と移動部材８２との係合が解除されているので、閉塞状態を安定して維持することが可能となる。
【００７２】
（５）プロジェクター１は、検出スイッチ８８（検出部）を備えているので、移動部材８２や羽根板７の位置を検出することで開放状態および閉塞状態を検知する構成に比べ、簡易的な構成で精度良く開放状態および閉塞状態を検知することが可能となる。すなわち、第１ソレノイド８４の可動鉄芯８４１の移動量バラツキや、第１ソレノイドの取付けバラツキ等を加味することなく、また排気口２２や排気口２２の周囲の形状に制約を与えることなく開放状態および閉塞状態を検知することが可能となる。
【００７３】
（変形例）
なお、前記実施形態は、以下のように変更してもよい。
前記実施形態の規制部材８５は、Ｘ方向に移動可能に構成されているが、この方向に限らず、例えば、規制部材８５をＺ方向に移動させことによって、係合状態と非係合状態とが切り換えられるように構成してもよい。
【００７４】
前記実施形態の規制部材８５は、直線的に移動可能に構成されているが、回転移動することによって、係合状態と非係合状態とが切り換えられるように構成してもよい。
図７は、変形例の規制部材１８５の動作を説明するための模式図である。
規制部材１８５は、図７に示すように、Ｚ方向に沿って延出する中心軸Ｃを中心に回転移動するように構成されている。中心軸Ｃは、規制部材１８５の＋Ｙ方向側に位置し、規制部材１８５は、図７の図面視において、反時計回りに回転移動するように、図示しない第２付勢部に付勢されている。
移動部材１８２の係止部１８２１は、係合状態において、規制部材１８５の＋Ｘ方向への移動が抑制されるように、傾斜面を有して形成されている。
そして、規制部材１８５は、第２付勢部によって付勢され、先端部１８５１が係止部１８２１に噛み合うように係合する。
これによって、規制部材１８５は、直線的に移動する構成に比べ、移動部材１８２との係合が強固になり、移動部材１８２から外れにくく構成される。したがって、規制部材１８５と移動部材１８２との係合状態をより確実なものとし、シャッター装置６の耐振動性や耐衝撃性の向上が図れる。
【００７５】
前記実施形態の開閉機構８は、プル型のソレノイドを用いて構成されているが、可動鉄芯にプッシュバーを装着し、電流が供給された際に、プッシュバーの飛び出し量が増えるプッシュ型のソレノイドを用いて構成してもよい。また、プル型のソレノイドおよびプッシュ型のソレノイドの双方を用いて開閉機構８を構成してもよい。
【００７６】
前記実施形態の開閉機構８は、非係合状態において排気口２２を閉塞させ、係合状態において排気口２２を開放させるように構成されているが、非係合状態において排気口２２を開放させ、係合状態において排気口２２を閉塞させるように構成してもよい。
【００７７】
前記実施形態の検出スイッチ８８は、係合状態においてオンの状態、非係合状態においてオフの状態となるように構成されているが、係合状態においてオフの状態、非係合状態においてオンの状態となるように構成してもよい。
【００７８】
第１付勢部および第２付勢部を板バネやねじりコイルバネ等で構成してもよい。
【００７９】
前記実施形態のプロジェクター１は、光変調装置として透過型の液晶ライトバルブ３５１を用いているが、反射型液晶ライトバルブを利用したものであってもよい。
【００８０】
光源３１１は放電型のランプに限らず、その他の方式のランプや発光ダイオード等の固体光源で構成してもよい。
【符号の説明】
【００８１】
１…プロジェクター、２…外装筐体、３…光学ユニット、５…排気ファン、６…シャッター装置、７…羽根板、８…開閉機構、２２…排気口、７１…羽根板本体部、７２…回転軸、７３…カムピン、８１…フレーム、８２，１８２…移動部材、８３…引張コイルバネ、８４…第１ソレノイド、８５，１８５…規制部材、８６…圧縮コイルバネ、８７…第２ソレノイド、８８…検出スイッチ、８２２，１８２１…係止部、８４１，８７１…可動鉄芯。
【図１】
0005510270.tif 000002
【図２】
0005510270.tif 000003
【図３】
0005510270.tif 000004
【図４】
0005510270.tif 000005
【図５】
0005510270.tif 000006
【図６】
0005510270.tif 000007
【図７】
0005510270.tif 000008